(57)【要約】画像表示性能を確保して虚像を投影することができる虚像投影光学系を提供する。表示デバイスである像形成素子１１によって形成された画像を表示スクリーン２０越しに虚像投影して表示させる虚像投影光学系である本体光学系１３であって、中間像ＴＩの形成位置の近傍に配置される中間スクリーン１６と、中間スクリーン１６より像形成素子１１側に配置される投影光学系１５と、中間スクリーン１６より虚像側に配置される虚像生成光学系１７とを備え、投影光学系１５の焦点距離を、虚像生成光学系１７への出射角から敢えて外すとともに、中間スクリーンの拡散角を、虚像生成光学系１７で必要となる最小限の拡がり角よりも大きな拡散角とする。
2019093496.tif 000002
【特許請求の範囲】
【請求項１】
表示デバイスによって形成された画像を表示スクリーン越しに虚像投影して表示させる虚像投影光学系であって、
中間像の形成位置の近傍に配置される中間スクリーンと、
前記中間スクリーンより前記表示デバイス側に配置される投影光学系と、
前記中間スクリーンより前記表示スクリーン側に配置される虚像生成光学系と、を備え、
前記投影光学系の焦点距離を、前記虚像生成光学系への出射角から敢えて外すとともに、前記中間スクリーンの拡散角を、前記虚像生成光学系で必要となる最小限の拡がり角よりも大きな拡散角とする、虚像投影光学系。
【請求項２】
前記投影光学系から前記中間スクリーンへの入射角をθｐ、前記中間スクリーンの拡散角をθｄｐとし、前記中間スクリーンから前記虚像生成光学系への出射角をθｈ、前記虚像生成光学系での拡がり角をθｄとしたとき、前記入射角θｐが前記出射角θｈよりも２度以上大きい場合には
下記の条件式
θｄ＋１．５×（θｐ−θｈ）＜θｄｐ
θｄｐ＜θｄ＋４．０×（θｐ−θｈ）  …（１）
を満たす、請求項１に記載の虚像投影光学系。
【請求項３】
前記投影光学系から前記中間スクリーンへの入射角をθｐ、前記中間スクリーンの拡散角をθｄｐとし、前記中間スクリーンから前記虚像生成光学系への出射角をθｈ、前記虚像生成光学系での拡がり角をθｄとしたとき、前記入射角θｐが前記出射角θｈよりも２度以上小さい場合には
下記の条件式
θｄ＋１．５×（θｈ−θｐ）＜θｄｐ
θｄｐ＜θｄ＋４．０×（θｈ−θｐ）  …（２）
を満たす、請求項１に記載の虚像投影光学系。
【請求項４】
前記投影光学系の焦点距離をｆ１とし、前記表示デバイスの水平方向の表示に対応する中間像サイズをＨとしたとき、
下記の条件式
２×ｔａｎ（０．５×θｈ）≦Ｈ／ｆ１
Ｈ／ｆ１≦２×ｔａｎ（４×θｈ）  …（３）
を満たす、請求項２及び３のいずれか一項に記載の虚像投影光学系。
【請求項５】
虚像投影距離が可変である、請求項１から４までのいずれか一項に記載の虚像投影光学系。
【請求項６】
前記虚像生成光学系は、反射光学系を有する、請求項１から５までのいずれか一項に記載の虚像投影光学系。
【請求項７】
前記投影光学系のＦ値は、２．０以上である、請求項１から６までのいずれか一項に記載の虚像投影光学系。
【請求項８】
前記中間スクリーンの位置は可変である、請求項１から７までのいずれか一項に記載の虚像投影光学系。
【請求項９】
前記中間スクリーンは、前記投影光学系の焦点深度内で移動する、請求項８に記載の虚像投影光学系。
【請求項１０】
前記投影光学系は、固定焦点光学系及び焦点可変光学系のいずれかである、請求項１から９までのいずれか一項に記載の虚像投影光学系。
【請求項１１】
前記中間スクリーンは、拡散板、拡散スクリーン、及びマイクロレンズアレイのいずれかである、請求項１から１０までのいずれか一項に記載の虚像投影光学系。
【請求項１２】
前記表示デバイスは、デジタルミラーデバイス及び反射型液晶デバイスのいずれかである、請求項１から１１までのいずれか一項に記載の虚像投影光学系。
【請求項１３】
請求項１から１２までのいずれか一項に記載の虚像投影光学系と、
前記虚像投影光学系によって形成される虚像を投影する表示スクリーンと、
を備える、表示装置。
【発明の詳細な説明】
【技術分野】
【０００１】
本発明は、画像表示性能を確保した虚像投影光学系及び当該虚像投影光学系を有する表示装置に関するものである。
【背景技術】
【０００２】
表示デバイスからの画像を虚像投影光学系によって、コンバイナーやウインドシールド等の表示スクリーン越しに虚像表示させるヘッドアップディスプレイ（ＨＵＤ）装置において、虚像投影光学系として、中間像を形成し、中間像の位置近傍に中間スクリーンを有するものがある。中間スクリーンより表示スクリーン側に配置される虚像生成光学系については、その視野やアイボックスサイズに応じて中間スクリーンからの出射光の角度を決定する必要が生じる。そのため、中間スクリーンより表示デバイス側に配置される投影光学系は、虚像生成光学系とのマッチングという意味で最適な焦点距離が一意的に決定されるものである。しかし、投影光学系の焦点距離に自由度がないと光学全長がほぼ固定されてしまうため、ＨＵＤ装置の構成に自由度がなくなり、大型化もしくは歪な形状となってしまうおそれがある。【０００３】
中間スクリーンを組み込んだ公知例として、光源にレーザーを用い、光偏向器として例えばＭＥＭＳを用い、さらに凹面ミラーを通して被走査面に２次元像を形成し、その先に虚像生成光学系を用いる構成とし、更に被走査面の拡散特性を楕円拡散とすることで虚像の輝度を向上させる技術が開示されている（特許文献１参照）。この構成において凹面ミラーは走査光を被走査面に対して最適な角度で入射させるものであると推察されるが、凹面ミラーという部材があることで装置の大型化やコストアップを招いてしまうおそれがある。
【先行技術文献】
【特許文献】
【０００４】
【特許文献１】特開２０１７−１４２５０９号公報
【発明の概要】
【０００５】
本発明は、画像表示性能を確保して虚像を投影することができる虚像投影光学系を提供することを目的とする。
【０００６】
また、本発明は、上記虚像投影光学系を有する表示装置を提供することを目的とする。
【０００７】
上記した目的のうち少なくとも一つを実現するために、本発明の一側面を反映した虚像投影光学系は、表示デバイスによって形成された画像を表示スクリーン越しに虚像投影して表示させる虚像投影光学系であって、中間像の形成位置の近傍に配置される中間スクリーンと、中間スクリーンより表示デバイス側に配置される投影光学系と、中間スクリーンより表示スクリーン側に配置される虚像生成光学系とを備え、投影光学系の焦点距離を、虚像生成光学系への出射角から敢えて外すとともに、中間スクリーンの拡散角を、虚像生成光学系で必要となる最小限の拡がり角よりも大きな拡散角とする。ここで、必要となる最小限の拡がり角とは、アイボックスを確保するために必要な角度を意味する（図９における中間スクリーンの射出側に表示された破線参照）。また、拡散角とは、拡散板の有する拡散特性である。図９において、拡散角の例示として、０°で入射した光の拡散後の強度分布を見たときに、その強度がピーク強度の約５０％以上となる角度範囲を示す（図９の上記点線参照）。
【０００８】
上記した目的のうち少なくとも一つを実現するために、本発明の一側面を反映した表示装置は、上記虚像投影光学系と、虚像投影光学系によって形成される虚像を投影する表示スクリーンとを備える。
【図面の簡単な説明】
【０００９】
【図１】図１Ａは、実施形態の表示装置を車体に搭載した状態を示す側方断面図であり、図１Ｂは、表示装置を説明する車内側からの正面図である。
【図２】表示装置の具体的な構成例を説明する拡大側方断面図である。
【図３】図３Ａ及び３Ｂは、条件式（１）及び（２）に関して、投影光学系及び虚像生成光学系の入射・出射角と中間スクリーンの拡散角との関係を説明する概念図である。
【図４】図４Ａ及び４Ｂは、中間スクリーン周辺の光線の具体例を説明する図である。
【図５】表示装置を含む移動体用表示システムを説明するブロック図である。
【図６】具体的な表示状態を説明する斜視図である。
【図７】実施例の投影光学系と、中間スクリーンと、虚像生成光学系の一部とをＹＺ断面で表した図ある。
【図８】実施例の投影光学系と、中間スクリーンと、虚像生成光学系の一部とをＸＹ断面で表した図ある。
【図９】虚像生成光学系で必要となる最小限の拡がり角と、中間スクリーンの拡散角とを説明する概念図である。
【発明を実施するための形態】
【００１０】
以下、図面を参照しつつ、本発明に係る虚像投影光学系及び表示装置の一実施形態について説明する。
【００１１】
図１Ａ及び１Ｂは、本実施形態の表示装置１００及びその使用状態を説明する概念的な側方断面図及び正面図である。この表示装置（画像表示装置）１００は、例えばヘッドアップディスプレイ（ＨＵＤ：Head-Up Display）装置として車体２内に搭載されるものであり、描画ユニット１０と表示スクリーン２０とを備える。表示装置１００は、描画ユニット１０中の後述する像形成素子１１に表示されている画像情報を、表示スクリーン２０を介して運転者（観察者）ＵＮに向けて虚像表示するものである。
【００１２】
表示装置１００のうち描画ユニット１０は、車体２のダッシュボード４内に埋め込むように設置されており、運転関連情報や危険信号等を含む画像に対応する表示光ＨＫを表示スクリーン２０に向けて出射する。表示スクリーン２０は、コンバイナーとも呼ばれるハーフミラーであり、半透過性を有する凹面鏡又は平面鏡である。表示スクリーン２０は、下端の支持によってダッシュボード４上に立設され、描画ユニット１０からの表示光ＨＫを車体２の後方に向けて反射する。つまり、図示の場合、表示スクリーン２０は、フロントガラス（ウインドシールド）８とは別体で設置される独立型のものとなっている。ハーフミラーである表示スクリーン２０で反射された表示光ＨＫは、運転席６に座った運転者ＵＮの瞳ＨＴ及びその周辺位置に対応するアイボックスＥＢ（図９参照）に導かれる。図１Ａ及び図２に示すように、運転者ＵＮは、表示スクリーン２０で反射された表示光ＨＫ、つまり車体２の前方にある虚像としての表示像ＩＭを観察することができる。一方、運転者ＵＮは、ハーフミラーである表示スクリーン２０を透過した外界光、つまり前方景色、自動車等の実像を観察することができる。結果的に、運転者ＵＮは、表示スクリーン２０の背後の外界像に重ねて、表示スクリーン２０での表示光ＨＫの反射によって形成される運転関連情報や危険信号等を含む表示像（虚像）ＩＭを観察することができる。
【００１３】
図２に示すように、描画ユニット１０は、本体光学系１３と、本体光学系１３を動作させる表示制御部１８と、本体光学系１３等を収納するハウジング１４とを備える。これらのうち本体光学系１３と表示スクリーン（コンバイナー）２０とを組み合わせたものは、虚像表示光学系３０を構成する。なお、図３Ａ等において座標軸ＸＹＺは、一般的な運転者ＵＮの瞳ＨＴ間の位置に対応するアイボックスＥＢ（図９参照）の中心を原点とするが、便宜上原点をシフトさせた状態で表示されている。
【００１４】
本体光学系（虚像投影光学系）１３は、像形成素子（表示デバイス）１１と、像形成素子１１に形成された画像を拡大した中間像ＴＩを形成可能な結像光学系（投影光学系）１５と、中間像ＴＩの結像位置に近接して光路後段に配置される中間スクリーン１６と、中間像ＴＩを虚像に変換する虚像生成光学系１７とを備える。詳細は後述するが、虚像投影光学系である本体光学系１３によって、虚像投影距離が可変となっている。
【００１５】
像形成素子１１は、２次元的な表示面１１ａを有する描画デバイス（表示部）である。像形成素子１１の表示面１１ａに形成された像は、本体光学系１３のうち投影光学系１５で拡大されて中間像ＴＩを形成し、中間スクリーン１６を通過し、虚像生成光学系１７等へ導かれる。この際、２次元表示が可能な像形成素子１１を用いることで、中間像ＴＩ又は表示像（虚像）ＩＭの切換えを比較的高速とできる。像形成素子１１には、デジタルミラーデバイス（ＤＭＤ：Digital Mirror Device）や反射型液晶デバイス（ＬＣＯＳ：Liquid crystal on silicon）を用いることができる。像形成素子１１としてＤＭＤやＬＣＯＳを用いると、明るさを維持しつつ画像を高速で切り替えること（高速の間欠表示を含む）が容易になり、虚像距離又は投影距離を変化させる表示に有利である。なお、像形成素子１１は、虚像を複数距離に投影する場合の虚像１距離あたり例えば３０ｆｐｓ以上、好ましくは６０ｆｐｓ以上のフレームレートで動作する。これにより、異なる投影距離に複数の表示像（虚像）ＩＭを運転者ＵＮに対して同時に表示されているように見せることが容易になる。
【００１６】
投影光学系１５は、固定焦点のレンズ系であり、図示を省略するが、複数のレンズを有する。投影光学系１５のＦ値は、２．０以上となっている。投影光学系１５は、像形成素子１１の表示面１１ａに形成された画像を適当な倍率に拡大投影し、中間スクリーン１６の入射面１６ｍに近接した位置に中間像ＴＩ（又は入射面１６ｍの位置に強制中間像ＴＩ’）を形成する。ここで、強制中間像ＴＩ’は、中間像ＴＩそのものの他、中間像ＴＩから位置ずれして僅かにピントがボケたものも含む。なお、投影光学系１５は、この投影光学系１５の最も中間スクリーン１６側に配置された絞り１５ａを有する。このように、絞り１５ａを配置することで、投影光学系１５の中間スクリーン１６側のＦ値の設定や調整が比較的容易になる。なお、投影光学系１５の絞りはレンズ系のどこに配置されていてもよい。
【００１７】
投影光学系１５の焦点距離をｆ１とし、表示デバイスである像形成素子１１の水平方向の表示に対応する中間像サイズをＨとしたとき、下記の条件式（３）
２×ｔａｎ（０．５・θｈ）≦Ｈ／ｆ１
Ｈ／ｆ１≦２×ｔａｎ（４・θｈ）  …（３）
を満たす。この場合、値Ｈ／ｆ１が、条件式（３）の下限値以上であることで、投影光学系１５の焦点距離ｆ１が長くなりすぎず、光学系が必要以上に大きくなることを防ぐことができる。一方、値Ｈ／ｆ１が、条件式（３）の上限値以下であることで、投影光学系１５の焦点距離ｆ１が短くなりすぎず、画角差が大きくなりすぎない。そのため、中間スクリーン１６の拡散角を大きくする必要がなく、明るさの分布中心においても光が拡散しすぎず、輝度が低くなり表示の明るさが低下することを防ぐことができる。
【００１８】
中間スクリーン１６は、拡散角を所望の角度に制御した部材であり、結像位置（つまり中間像ＴＩの結像予定位置又はその近傍）において強制中間像ＴＩ’を形成する。この結果、後述するように中間スクリーン１６を光軸ＡＸ方向に移動させることにより、強制中間像ＴＩ’の位置も光軸ＡＸ方向に移動させることができる。中間スクリーン１６には、例えば拡散板、拡散スクリーン、マイクロレンズアレイ等を用いることができる。中間スクリーン１６によって、アイボックスサイズを拡大することができる。中間像ＴＩは、中間スクリーン１６から光路前段にかけての表示領域に結像される。中間スクリーン１６の入射面１６ｍは、拡散機能を有している。入射面１６ｍに強制中間像ＴＩ’が形成され、ここから光が拡散するので、アイボックスを広く確保することができる。中間スクリーン１６は、投影光学系１５の焦点深度内で移動する。
【００１９】
中間スクリーン１６は、配置変更装置６２に駆動されて例えば一定速度又は周期的な運動で光軸ＡＸに沿って移動する。つまり、中間スクリーン１６の位置は可変となっている。本例の場合、光軸ＡＸとは、表示デバイス（描画デバイス）である像形成素子１１の中心と、アイボックスの中心と、表示装置１００によって作られる像形成素子１１の中心に対応する像点（虚像）とを通るものである。配置変更装置６２によって中間スクリーン１６を光軸ＡＸに沿って移動させることで、虚像生成光学系１７によって表示スクリーン（コンバイナー）２０の背後に形成される虚像としての表示像ＩＭと観察者である運転者ＵＮとの距離を長く、または短くすることができる。つまり、配置変更装置６２は、本体光学系（虚像投影光学系）１３の構成配置を変化させて投影距離を変化させる。このように、投影される表示像ＩＭの位置を前後に変化させるとともに、表示内容をその位置に応じたものとすることで、表示像ＩＭまでの虚像距離又は投影距離を変化させつつ表示像ＩＭを変化させることになり、一連の投影像としての表示像ＩＭを３次元的なものとすることができる。中間スクリーン１６の光軸ＡＸに沿った移動範囲は、中間像ＴＩの結像予定位置又はその近傍に相当するものであるが、投影光学系１５の中間スクリーン１６側の焦点深度の範囲内とすることが望ましい。これにより、強制中間像ＴＩ’の状態と虚像としての表示像ＩＭの結像状態とを、いずれも略ピントが合った良好な状態とすることができる。中間スクリーン１６の光軸ＡＸ方向の移動量は、例えば２０ｍｍ以下となっている。これにより、中間スクリーン１６の移動を効率良く行うことができ、中間スクリーン１６の応答性を向上させることができる。中間スクリーン１６の移動速度は、虚像としての表示像ＩＭが複数個所又は複数虚像距離に同時に表示されているかのように見せることができる速度であることが望ましい。配置変更装置６２は、例えば１５Ｈｚ以上の速度で中間スクリーン１６を移動させる。この場合、観察者（運転者ＵＮ）の知覚を超える速さのため、観察者は投影距離の異なる虚像を略同時に認識することができる。
【００２０】
中間スクリーン１６は、支持部材６２ａに支持されている。支持部材６２ａは、配置変更装置６２の台座６２ｂに光軸ＡＸ方向に沿った所定の範囲内で移動可能に取り付けられている。中間スクリーン１６が移動範囲の最も上流側（つまり、投影光学系１５に最も近い側）に配置されたタイミングでは、この時点で中間スクリーン１６に表示されている画像が、ハーフミラーである表示スクリーン（コンバイナー）２０の背後の最も遠くに虚像として表示される。また、中間スクリーン１６が移動範囲の最も下流側（つまり、投影光学系１５から最も遠い側）に配置されたタイミングでは、この時点で中間スクリーン１６に表示されている画像が、ハーフミラーである表示スクリーン（コンバイナー）２０の背後の最も近くに虚像として表示される。
【００２１】
虚像生成光学系１７は、中間スクリーン１６付近に形成された中間像ＴＩを表示スクリーン２０と協働して拡大する拡大光学系であり、運転者ＵＮの前方に虚像としての表示像ＩＭを形成する。虚像生成光学系１７は、反射光学系を有し、少なくとも１枚のミラーで構成されるが、図示の例では２枚の第１及び第２ミラー１７ａ，１７ｂを含む。ここで、第１ミラー１７ａは、第１の反射体であって、光路前段にある像形成素子１１側に配置されており、光学的なパワーを有する。また、第２ミラー１７ｂは、光路後段にある表示スクリーン（コンバイナー）２０側に配置されており、光学的なパワーを有する。第１及び第２ミラー１７ａ，１７ｂは、凸面、凹面、又は平面とでき、曲面の場合、球面に限らず、非球面、自由曲面等とすることができる。図示の例では、中間スクリーン１６からの光を水平方向（±Ｚ方向）に沿って虚像生成光学系１７に入射させるが、結像光学系１５、中間スクリーン１６等の配置を９０°回転させ、中間スクリーン１６からの光を上向き（＋Ｙ方向）にして虚像生成光学系１７に入射させることもできる。この場合、虚像生成光学系１７を構成する一対のミラーを＋Ｙ−Ｚ方向に傾ける（図７の虚像生成光学系１７及びミラー１１７ａ，１１７ｂ参照）。
【００２２】
虚像投影光学系である本体光学系１３は、投影光学系１５の焦点距離ｆ１に対応する中間スクリーン１６の入射角を、中間スクリーン１６から虚像生成光学系１７への出射角から敢えて外すとともに、中間スクリーン１６の拡散角を、虚像生成光学系１７で必要となる最小限の拡がり角よりも大きな拡散角としている。具体的には、本体光学系１３は、以下の条件式（１）及び（２）の少なくともいずれかを満たすことが好ましい。
【００２３】
図３Ａに示すように、投影光学系１５から中間スクリーン１６への例えば入射光の主光線である光線ＩＬの入射角をθｐとし、中間スクリーン１６の拡散角をθｄｐとし、中間スクリーン１６から虚像生成光学系１７への例えば出射光の主光線である光線ＯＬの出射角をθｈとし、虚像生成光学系１７での拡がり角をθｄとしたとき、θｄｐ＝θｄ＋２×（θｐ−θｈ）を過不足のない状態として、入射角θｐが出射角θｈよりも２度以上大きい場合には下記の条件式（１）
θｄ＋１．５×（θｐ−θｈ）＜θｄｐ
θｄｐ＜θｄ＋４．０×（θｐ−θｈ）  …（１）
を満たす。この場合、値θｄｐが条件式（１）の下限値より大きいことで、拡散角が小さく狭くなりすぎず、周辺での光量低下を防ぐことができる。一方、値θｄｐが条件式（１）の上限値より小さいことで、拡散角が大きくなりすぎず、中心光量が低くなることを防ぎ、表示輝度を確保することができる。また、入射角θｐと出射角θｈとの差が２度未満の場合には、条件式（１）を当てはめる必要はなく、敢えて当てはめると、拡散角θｄｐの範囲が極端に狭くなるため、拡散板の製造ばらつき等により容易に数値範囲から外れてしまったり、カスタム要素が強くなるためコストアップとなってしまったりする懸念がある。なお、図３Ａにおいて、点線で示す角度範囲は、θｄｐ＝θｄ＋２（θｐ−θｈ）であるときの拡散角θｄｐの片側半分（θｄｐ／２）を示しているが、実際には、拡散角θｄｐは、＋Ｙ方向に広がるものとなっている。
【００２４】
なお、条件式（１）は、下式とすることがより好ましい。
θｄ＋２．０×（θｐ−θｈ）＜θｄｐ
θｄｐ＜θｄ＋３．０×（θｐ−θｈ）  …（１）’
【００２５】
また、図３Ｂに示すように、入射出射の角度差が逆となる場合において、投影光学系１５から中間スクリーン１６への入射角をθｐとし、中間スクリーン１６の拡散角をθｄｐとし、中間スクリーン１６から虚像生成光学系１７への出射角をθｈとし、虚像生成光学系１７での拡がり角をθｄとしたとき、入射角θｐが出射角θｈよりも２度以上大きい場合には下記の条件式（２）
θｄ＋１．５×（θｈ−θｐ）＜θｄｐ
θｄｐ＜θｄ＋４．０×（θｈ−θｐ）  …（２）
を満たす。この場合、値θｄｐが条件式（２）の下限値より大きいことで、拡散角が小さく狭くなりすぎず、周辺での光量低下を防ぐことができる。一方、値θｄｐが条件式（２）の上限値より小さいことで、拡散角が大きくなりすぎず、中心光量が低くなることを防ぎ、表示輝度を確保することができる。また、出射角θｈと入射角θｐとの差が２度未満の場合には、拡散角θｄｐの範囲が極端に狭くなるため、拡散板の製造ばらつき等により容易に数値範囲から外れてしまったり、カスタム要素が強くなるためコストアップとなってしまったりする懸念がある。なお、図３Ｂにおいて、点線で示す角度範囲は、θｄｐ＝θｄ＋２（θｈ−θｐ）であるときの拡散角θｄｐの片側半分（θｄｐ／２）を示しているが、実際には、拡散角θｄｐは、−Ｙ方向に広がるものとなっている。
【００２６】
なお、条件式（２）は、下式とすることがより好ましい。
θｄ＋２．０×（θｈ−θｐ）＜θｄｐ
θｄｐ＜θｄ＋３．０×（θｈ−θｐ）  …（２）’
【００２７】
以上の説明は、Ｘ方向に関して入射角と出射角とに差がないことを前提としているが、Ｘ方向に関しても入射角と出射角とに差があってもよく、この場合、Ｘ方向の拡散度の条件も、Ｙ方向の拡散度の条件と同様に設定できる。
【００２８】
図４Ａ及び４Ｂに例示するように、投影光学系１５から投射された表示光（映像光）ＨＫは、中間スクリーン１６で上記条件式（１）及び（２）の少なくともいずれかを満たすように拡散される。中間スクリーン１６において、拡散度合は光軸ＡＸに垂直な複数の方向によって異なるものとすることができ、例えば、中間スクリーン１６のＹ方向の拡散角θｄｐを小さく、Ｘ方向の拡散角θｄｐを大きく設定することができる。なお、中間スクリーン１６に対して光が傾いて入射したときは、その拡散角θｄｐは光が中間スクリーン１６に対して垂直に入射したときと略同じであり、強度分布は入射した光の主光線の方向がもっとも高いものとなるのが一般的である。
【００２９】
図２に戻って、ハウジング１４は、表示光ＨＫを通過させる開口１４ａを有し、この開口１４ａには、フィルム又は薄板状の光透過部材１４ｂを配置することができる。
【００３０】
図５は、移動体用表示システム２００を説明するブロック図であり、移動体用表示システム２００は、その一部として表示装置１００を含む。この表示装置１００は、図２に示す構造を有するものであり、ここでは説明を省略する。図５に示す移動体用表示システム２００は、移動体である自動車等に組み込まれるものである。
【００３１】
移動体用表示システム２００は、表示装置１００のほかに、運転者検出部７１と、環境監視部７２と、主制御装置９０とを備える。
【００３２】
運転者検出部７１は、運転者ＵＮの存在や視点位置を検出する部分であり、運転席用カメラ７１ａと、運転席用画像処理部７１ｂと、運転席画像判断部７１ｃとを備える。運転席用カメラ７１ａは、車体２内のダッシュボード４の運転席正面に設置されており（図１Ｂ参照）、運転者ＵＮの頭部及びその周辺の画像を撮影する。運転席用画像処理部７１ｂは、運転席用カメラ７１ａで撮影した画像に対して明るさ補正等の各種画像処理を行って運転席画像判断部７１ｃでの処理を容易にする。運転席画像判断部７１ｃは、運転席用画像処理部７１ｂを経た運転席画像からオブジェクトの抽出又は切り出しを行うことによって運転者ＵＮの頭部や目を検出するとともに、運転席画像に付随する奥行情報から車体２内における運転者ＵＮの頭部の存否とともに運転者ＵＮの目の空間的な位置（結果的に視線の方向）を算出する。
【００３３】
環境監視部７２は、前方に近接する自動車、自転車、歩行者等を識別する部分であり、外部用カメラ７２ａと、外部用画像処理部７２ｂと、外部画像判断部７２ｃとを備える。外部用カメラ７２ａは、車体２内外の適所に設置されており、運転者ＵＮ又はフロントガラス８の前方、側方等の外部画像を撮影する。外部用画像処理部７２ｂは、外部用カメラ７２ａで撮影した画像に対して明るさ補正等の各種画像処理を行って外部画像判断部７２ｃでの処理を容易にする。外部画像判断部７２ｃは、外部用画像処理部７２ｂを経た外部画像からオブジェクトの抽出又は切り出しを行うことによって自動車、自転車、歩行者等の対象物（例えば図６に示すオブジェクトＯＢ参照）の存否を検出するとともに、外部画像に付随する奥行情報から車体２前方における対象物の空間的な位置を算出する。
【００３４】
なお、運転席用カメラ７１ａや外部用カメラ７２ａは、図示を省略しているが、例えば複眼型の３次元カメラである。つまり、両カメラ７１ａ，７２ａは、結像用のレンズと、ＣＭＯＳその他の撮像素子とを一組とするカメラ素子をマトリックス状に配列したものであり、撮像素子用の駆動回路をそれぞれ有する。各カメラ７１ａ，７２ａを構成する複数のカメラ素子は、例えば奥行方向の異なる位置にピントを合わせるようになっており、或いは相対的な視差を検出できるようになっており、各カメラ素子から得た画像の状態（フォーカス状態、オブジェクトの位置等）を解析することで、画像内の各領域又はオブジェクトまでの距離を判定できる。
【００３５】
なお、上記のような複眼型のカメラ７１ａ，７２ａに代えて、２次元カメラと赤外距離センサーとを組み合わせたものを用いても、撮影した画面内の各部（領域又はオブジェクト）に関して奥行方向の距離情報を得ることができる。また、複眼型のカメラ７１ａ，７２ａに代えて、２つの２次元カメラを分離配置したステレオカメラによって、撮影した画面内の各部（領域又はオブジェクト）に関して奥行方向の距離情報を得ることができる。その他、単一の２次元カメラにおいて、焦点距離を高速で変化させながら撮像を行うことによっても、撮影した画面内の各部に関して奥行方向の距離情報を得ることができる。
【００３６】
表示制御部１８は、主制御装置９０の制御下で虚像表示光学系３０を動作させて、表示スクリーン２０の背後に虚像距離又は投影距離が変化する３次元的な表示像ＩＭを表示させる。表示制御部１８は、主制御装置９０を介して環境監視部７２から受信した表示形状や表示距離を含む表示情報から、虚像表示光学系３０に表示させる表示像ＩＭを生成する。表示像ＩＭは、例えば表示スクリーン２０の背後に存在する自動車、自転車、歩行者その他の対象物に対してその奥行き位置方向に関して周辺に位置する表示枠（図６に示す表示枠ＨＷ参照）のような標識とすることができる。
【００３７】
表示制御部１８は、主制御装置９０を介して運転者検出部７１から運転者ＵＮの存在や目の位置に関する検出出力を受け取る。これにより、虚像表示光学系３０による表示像ＩＭの投影の自動的な開始や停止が可能になる。また、運転者ＵＮの視線の方向のみに表示像ＩＭの投影を行うこともできる。さらに、運転者ＵＮの視線の方向の表示像ＩＭのみを明るくする、点滅する等の強調を行った投影を行うこともできる。
【００３８】
主制御装置９０は、表示装置１００、環境監視部７２等の動作を調和させる役割を有し、環境監視部７２によって検出した対象物の空間的な位置に対応するように、虚像表示光学系３０によって投影される表示枠の空間的な配置を調整する。
【００３９】
図６は、具体的な表示状態を説明する斜視図である。観察者である運転者ＵＮの前方は観察視野に相当する検出領域ＶＦとなっている。検出領域ＶＦ内、つまり道路及びその周辺に、歩行者等である人のオブジェクトＯＢ１や、自動車等である移動体のオブジェクトＯＢ２が存在すると考える。この場合、主制御装置９０は、表示装置１００によって３次元的な投影像（虚像）ＩＭを投影させ、各オブジェクトＯＢ１，ＯＢ２，ＯＢ３に対して関連情報像としての表示枠ＨＷ１，ＨＷ２，ＨＷ３を付加する。この際、運転者ＵＮから各オブジェクトＯＢ１，ＯＢ２，ＯＢ３までの距離が異なるので、表示枠ＨＷ１，ＨＷ２，ＨＷ３を表示させる投影像（表示像）ＩＭ１，ＩＭ２，ＩＭ３までの投影距離は、運転者ＵＮから各オブジェクトＯＢ１，ＯＢ２，ＯＢ３までの距離に相当するものとなっている。なお、投影像ＩＭ１，ＩＭ２，ＩＭ３の投影距離は、離散的であり、オブジェクトＯＢ１，ＯＢ２，ＯＢ３までの現実の距離に対して正確に一致させることはできない。ただし、投影像ＩＭ１，ＩＭ２，ＩＭ３の投影距離と、オブジェクトＯＢ１，ＯＢ２，ＯＢ３までの現実の距離との差が大きくなければ、運転者ＵＮの視点が動いても視差が生じにくく、オブジェクトＯＢ１，ＯＢ２，ＯＢ３と表示枠ＨＷ１，ＨＷ２，ＨＷ３との配置関係を略維持することができる。
【００４０】
以上で説明した虚像投影光学系及び表示装置では、投影光学系１５の焦点距離を虚像生成光学系１７に応じた最適な焦点距離よりも例えば広角又は望遠にするとともに、中間スクリーン１６の拡散度を上げることで、画像表示性能を確保しながら光学系全体のサイズを最適化することができる。
【００４１】
上述の虚像投影光学系である本体光学系１３では、投影光学系１５の焦点距離を虚像生成光学系１７に最適な値から敢えて外すことで、光学系全長に自由度が生まれるため、本体光学系１３の小型化もしくは外形形状の最適化が達成できる。その際に、中間スクリーン１６内の各像位置に対して、虚像生成光学系１７に入射する光束の持つ入射角と、投影光学系１５から出射する光束の出射角とがずれてしまう。また、中間スクリーン１６に用いる拡散板、拡散スクリーン、マイクロレンズアレイ等の拡散特性は、投影光学系１５からの光束の中間スクリーン１６へ入射する入射角方向が分布中心となり最も強度が高くなるため、中間スクリーン１６の拡散角が狭い場合、虚像生成光学系１７に入射する光束の輝度分布に偏りが生じてしまい画面内で明るさの分布が一様でなくなってしまう問題が生じる。しかし、本実施形態の本体光学系１３のように、中間スクリーン１６の拡散角を拡大することで、画面内の明るさ分布を一様に保つことができる。
【００４２】
〔実施例〕
以下、本発明に係る虚像投影光学系及び表示装置の具体的な実施例を示す。
【００４３】
図７は、投影光学系１５と中間スクリーン１６と、虚像生成光学系１７の一部とをＹＺ断面で表した図である。図７において、符号ＨＫ１は虚像の下端の表示光を示し、符号ＨＫ２は虚像の中心の表示光を示し、符号ＨＫ３は虚像の上端の表示光を示す。投影光学系１５から中間スクリーン１６に入射する光の入射角θｐは、主光線を考えて、表示光ＨＫ１，ＨＫ３で４．５度であり、表示光ＨＫ２で０度である。これに対して、中間スクリーン１６から虚像生成光学系１７への出射角θｈは、主光線を考えて、表示光ＨＫ１で１６．２度であり、表示光ＨＫ２で７．１度であり、表示光ＨＫ３で３．６度である。そのため、表示光ＨＫ３では、入射角θｐと出射角θｈとがほぼ一致しているのに対して、表示光ＨＫ１，ＨＫ２では、入射角θｐと出射角θｈとが一致していない。また、中間スクリーン１６から虚像生成光学系１７へ出射する光の拡がり角θｄは、表示光ＨＫ１で９．３度であり、表示光ＨＫ２で９．２度であり、表示光ＨＫ３で８．８度である。そのため、中間スクリーン１６の拡散角θｄｐは、少なくとも９．３度以上とする必要があるといえる。加えて、入射角θｐと出射角θｈとが一致していない点を補正するため、θｄ＝９．３、θｈ＝１６．２、θｐ＝４．５として条件式（２）に従って計算すると、拡散角θｄｐは２６．９〜４４．４度とするのがよいといえる。
【００４４】
一方、図８は、投影光学系１５と、中間スクリーン１６と、虚像生成光学系１７の一部とをＸＹ断面で示した図である。図８において、符号ＨＫ４は虚像の左端の表示光を示し、符号ＨＫ５は虚像の右端の表示光を示す。投影光学系１５から中間スクリーン１６に入射する光の入射角θｐは、表示光ＨＫ４，ＨＫ５で１１．１度であり、ＨＫ２で０度である。これに対して、中間スクリーン１６から虚像生成光学系１７への出射角θｈは、表示光ＨＫ４，ＨＫ５で１０．１度であり、表示光ＨＫ２で０．０度である。そのため、入射角θｐと出射角θｈとがほぼ一致している。また、中間スクリーン１６から虚像生成光学系１７へ出射する光の拡がり角θｄは、表示光ＨＫ４，ＨＫ５で２３．７度であり、表示光ＨＫ２で２３．４度である。そのため、中間スクリーン１６の拡散角θｄｐは、少なくとも２３．７度以上とする必要があるといえる。この場合、入射角θｐと出射角θｈとの差も２度未満であるため、条件式（１）及び（２）に依らず、拡がり角θｄをカバーできる中間スクリーン（拡散スクリーン）１６を使用すればよい。
【００４５】
なお、本実施例では表示デバイス面（表示面１１ａ）と中間スクリーン１６とが平行となるような配置で断面を描画しているが、光路途中に折り曲げミラー等を配し、それらが平行とならないような配置として、装置全体の外形形状がスムーズなものにすることもできる。
【００４６】
以上では、具体的な実施形態としての表示装置について説明したが、本発明に係る表示装置は、上記のものには限られない。例えば、上記実施形態において、表示装置１００の配置を上下反転させて、フロントガラス８の上部又はサンバイザー位置に表示スクリーン２０を配置することもできる。この場合、描画ユニット１０の斜め下方前方に表示スクリーン２０が配置される。また、表示スクリーン２０は、車でいうとウインドシールドの運転者ＵＮ側光学面に相当する。上記実施形態では表示スクリーン２０を平面としたが、曲面でも、曲面をさらに傾けたものでも、対称性をもたない自由曲面であってもよい。
【００４７】
上記実施形態において、表示スクリーン２０の輪郭は、矩形に限らず、様々な形状とすることができる。
【００４８】
図２等に示す本体光学系１３は、単なる例示であり、これら本体光学系１３の光学的構成については適宜変更することができる。例えば、投影光学系１５中に中間像ＴＩの前段としての中間像を追加で形成することができる。虚像生成光学系１７の光路中において、光学的なパワーを持たない１つ以上のミラーを配置してもよい。この場合、折り返しによる描画ユニット１０等の小型化に有利になる場合もある。
【００４９】
上記実施形態において、表示像（虚像）ＩＭの表示位置は、上記実施例で例示した３か所に限らず、適当数に設定することができる。また、表示像ＩＭの表示は、位置を変化させて連続的又は断続的に設定することもできる。
【００５０】
また、上記実施形態において、描画デバイスである像形成素子１１として、ＤＭＤやＬＣＯＳ等を用いたが、液晶ディスプレイ（ＬＣＤ：liquid crystal display）や、他の種類の表示素子、例えば有機ＥＬを用いてもよい。また、像形成素子１１は、反射型の素子の代わりに、ＭＥＭＳを利用した走査型の映像素子を用いてもよい。
【００５１】
また、上記実施形態において、虚像生成光学系１７には、２枚のミラーを設けたが、１枚又は３枚以上のミラーを設けてもよい。また、ミラーを省略してもよい。また、ミラーの光学面は対称性がある自由曲面としているが、これに限るものではなく、対称性を持たない自由曲面でもよい。
【００５２】
また、上記実施形態において、コンバイナーを設けずに、フロントウインドウを形成するフロントガラス８の運転席正面に設けた矩形の反射領域の内側に表示スクリーン２０を貼り付けてもよい。なお、表示スクリーン２０は、フロントガラス８内に埋め込むこともできる。
【００５３】
また、上記実施形態において、投影光学系１５は、固定焦点光学系としたが、焦点可変光学系であってもよい。
【００５４】
上記実施形態では、中間スクリーン１６を光軸ＡＸに沿って移動させることで投影される表示像ＩＭの位置を変化させたが、複数の厚みが異なる階段状の部分領域を有する中間スクリーンを回転又はスライドさせる等、他の手法を用いて表示像ＩＭの位置を変化させてもよい。
【００５５】
以上で説明した表示装置１００は、自動車やその他移動体に搭載される投影装置に限らず、デジタルサイネージ等に組み込むことができるが、これら以外の用途に適用することもできる。
【図１】
2019093496.tif 000003
【図２】
2019093496.tif 000004
【図３】
2019093496.tif 000005
【図４】
2019093496.tif 000006
【図５】
2019093496.tif 000007
【図６】
2019093496.tif 000008
【図７】
2019093496.tif 000009
【図８】
2019093496.tif 000010
【図９】
2019093496.tif 000011
【国際調査報告】
2019093496.tif 000012
2019093496.tif 000013
2019093496.tif 000014